(57)【要約】【課題】クリック機構の取付スペースを確保することが容易であるとともに、そのクリック位置で操作レバーに対し大きな抵抗力を発生させることができ且つ耐久性に優れたクリック機構付シングルレバー水栓を提供する。【解決手段】シングルレバー式水栓において、操作レバーの操作の際にクリック感を発生させるクリック機構７４を操作レバー及びレバー軸とともに温度調節方向に回転する回転ガイド５０と可動弁体の駆動部４８とにまたがって設ける。そのクリック機構７４は、回転ガイド５０の下面に設けた上側の金属線材８０と、金属線材８０に対して長手方向の面で当接し、更にこれを乗り越えて移動するように駆動部４８の上面に設けた下側の金属線材９０とを含んで構成し、且つ金属線材９０は回転可能となしておくとともにこれをコイルスプリング９４にて上向きに付勢しておく。【選択図】        図５
2008039160.tif 000002
【特許請求の範囲】
【請求項１】
（イ）上下回動操作に基づいて吐水の水量調節を行い、左右回動操作に基づいて吐水の温度調節を行う操作レバーと、（ロ）該操作レバーから水栓本体側に突出して該操作レバーと一体運動するレバー軸と、（ハ）前記水量調節方向に固定且つ温度調節方向に前記レバー軸と一体回転する、該レバー軸の回転ガイドと、(ニ)該回転ガイドに対して前記水量調節方向に直線運動する可動弁体の駆動部と、を備え、前記操作レバーの上下回動操作及び左右回動操作を前記レバー軸を介して該可動弁体に伝達し、該可動弁体を固定弁体に対し摺動運動させて水量調節及び温度調節を行うシングルレバー式水栓において、
前記操作レバーの上下回動操作の際に所定位置でクリック感を発生するクリック機構を、前記回転ガイドと前記可動弁体の駆動部とにまたがって設け、
且つ該クリック機構は、(a)前記回転ガイドの下面に突出状態に設けられた上側の金属線材と、(b)前記駆動部の上面に突出状態に設けられ、該駆動部の前記直線運動の途中で該上側の金属線材に対して長手方向の面で当接し、更に該上側の金属線材を乗り越えて移動する下側の金属線材と、(c)該下側の金属線材と上側の金属線材との少なくとも何れかを突出側に付勢する付勢手段と、(d)それら下側の金属線材と上側の金属線材との少なくともいずれかを回転可能に受けて支持する受面と、
を備えて構成したことを特徴とするクリック機構付シングルレバー水栓。
【請求項２】
請求項１において、前記受面にて回転可能に支持される側の金属線材が断面円形且つ長手方向に直線状をなしているとともに、該受面は、該金属線材を全長に亘って嵌め入れ保持する保持凹所の底面にて構成されており、且つ該受面は、該金属線材の外周面の断面形状に対応した形状の断面円弧形状の嵌合面を成していて、該嵌合面で該金属線材を全長に亘り回転可能に受けて支持するものとなしてあることを特徴とするクリック機構付シングルレバー水栓。
【請求項３】
請求項２において、前記受面を備えた支持部材が前記駆動部材及び回転ガイドと別体の部材からなっており、該支持部材が前記付勢手段にて付勢されていることを特徴とするクリック機構付シングルレバー水栓。
【請求項４】
請求項２，３の何れかにおいて、前記保持凹所が前記駆動部材の上面に設けられており、且つ該保持凹所が潤滑剤溜りを成していることを特徴とするクリック機構付シングルレバー水栓。
【請求項５】
請求項２，３の何れかにおいて、前記駆動部材の上面には潤滑剤を保持して供給する、上面が開口形状の潤滑剤の補給用凹所が設けられており、且つ該補給用凹所は、前記駆動部材の前記直線運動の際に前記回転ガイドの側に設けた前記金属線材が到達する位置に設けてあることを特徴とするクリック機構付シングルレバー水栓。
【発明の詳細な説明】
【技術分野】
【０００１】
この発明はシングルレバー水栓に関し、詳しくは水量調節の際に使用者にクリック感を与えるクリック機構付のものに関する。
【背景技術】
【０００２】
従来、操作レバーの上下回動操作に基づいて吐水の水量調節を行い、左右回動操作に基づいて吐水の温度調節を行うシングルレバー水栓が、キッチン用水栓，浴室用水栓，洗面用水栓等として広く用いられている。
このシングルレバー水栓はレバー操作を軽やかに行うことができ、操作フィーリングが良好であるとともに、操作レバーを全閉状態から全開状態まで速やかに且つ一気に操作し得る特徴を有する。
【０００３】
しかしながらこの特徴は、反面において水量の微妙な調節が必ずしも行い易いとは言えない問題につながっている。
例えば比較的少量の水量でこと足りる場合であるにも拘らず、操作レバーの微妙な操作がしづらいことから、これを全閉状態からいきなり全開状態としてしまうといったことも往々にして行なわれ勝ちである。
この場合貴重な水が無駄に多く流されてしまうこととなる。
【０００４】
その対策として、従来、操作レバーが全閉状態から全開状態に到る操作途中の所定位置（設定した節水位置）に到ったところで、クリック感を発生させるようになしたものが各種提案されている。
その多くはレバー軸と周辺部材との間にクリック機構を設けるものである。
図１０はその一例として下記特許文献１に開示されたもので、同図に示しているようにこのものは、レバー軸２００と水栓本体のハウジング２０２の上部との間にクリック機構２０４を設けている。
【０００５】
このクリック機構２０４は、レバー軸２００に設けた係合凹部２０６と、そこに係合する係合突部を備えた係合部材２０８と、これを係合方向に付勢するスプリング２１０と、栓体２１２と、係合部材２０８，スプリング２１０及び栓体２１２を保持するリング２１４とを備えている。
この例では、操作レバーの上下回動操作に基づいてレバー軸２００が軸２１６周りに回動し、そして所定位置に到ると係合部材２０８の係合突部が、レバー軸２００に設けた係合凹部２０６に弾性的に係合してそこでクリック感を発生させる。
【０００６】
しかしながらこの種クリック機構付の従来のシングルレバー水栓の場合、クリック機構の構成部品点数が多く、コスト高となるとともに、クリック機構が広い取付スペースを占有してしまう問題があった。
特にレバー軸２００周りは従来から多くの部品が組付けられており、そのようなレバー軸２００周りに取付スペースを確保してそこにクリック機構を設けることが難しい場合が多い。
【０００７】
このようなことから、本出願人は先の特許願（下記特許文献２）において、クリック機構をレバー軸と周辺部材との間に設けるのではなく、水量調節方向に固定且つ温度調節方向にレバー軸と一体回転するレバー軸の回転ガイドと、回転ガイドに対して水量調節方向に直線運動する可動弁体の駆動部とにまたがってクリック機構を設けたものを提案している。
図１１はその具体例を示している。
【０００８】
図において２１８はセラミックディスクからなる固定弁体，２２０は同じくセラミックディスクからなり、固定弁体２１８の上面（摺動面）を摺動運動する可動弁体、２２２は水量調節の際の操作レバーの上下回動操作に伴うレバー軸２００の図中矢印方向の回動時（軸２１６周りの回動時）には固定で、温度調節操作の際の操作レバーの左右回動操作に伴うレバー軸２００の軸心周りの回転運動の際にはレバー軸２００と一体に回転する回転ガイドで、２２４はレバー軸２００の軸２１６周りの回動及び上下の軸心周りの回転を可動弁体２２０に伝達し駆動する可動弁体２２０の駆動部である。
【０００９】
ここで駆動部２２４は、水量調節の際には図中左右方向に直線運動して、可動弁体２２０を固定弁体２１８に対して同方向に直線運動させる。
また温度調節の際には紙面と直角方向に回転運動して、可動弁体２２０を固定弁体２１８に対し同方向に回転運動させる。
【００１０】
２２６はこれら回転ガイド２２２と駆動部２２４とにまたがって設けられたクリック機構で、このクリック機構２２６は、図中左右方向には固定の回転ガイド２２２の下面に設けられた係合溝２２８と、図中左右方向に直線運動する駆動部２２４の上面に設けられた係合突起２３０とを備えて構成されている。
【００１１】
ここで係合突起２３０は、駆動部２２４に埋め込まれた係合部材２３２の上端部にて構成されている。
尚係合部材２３２は全体として矩形枠状をなしていて、その枠の上辺に係合突起２３０が構成されており、その矩形枠形状に基づいて図中上下方向に弾性変形能が付与されている。
【００１２】
この図１１に示すものにおいては、操作レバーの操作によってレバー軸２００が軸２１６周りに図中矢印方向に回動運動すると、駆動部２２４が図中左右方向に直線運動し、そして図に示す全閉位置から駆動部２２４が左向きに移動する過程で、係合突起２３０が係合部材２３２の弾性変形を伴って複数ある係合溝２２８のそれぞれに順次に嵌り込んで係合し、その際にクリック感を発生させて、これをレバー軸２００及び操作レバーを介して使用者に感じさせる。
【００１３】
この図１１に示すクリック機構付シングルレバー水栓の場合、クリック機構の所要部品点数が少なく、コストを低減できるとともに、レバー軸と周辺部材との間にクリック機構を設ける場合のように、クリック機構のためのスペースを確保するのが困難であるといった問題を解消でき、元々特に利用されていない空きスペースをクリック機構のためのスペースとして有効に活用できるといった利点を有する。
【００１４】
ところで図１１に示すクリック機構付シングルレバー水栓において、係合突起２３０が係合溝２２８に弾性的に嵌り込んでクリック感を発生させたときに、そこで操作レバーの回動操作に対する大きな抵抗力を発生させることが求められる。
単にクリック感を発生させるだけでレバー操作に対する抵抗が少なければ、操作レバーがそのまま全開位置まで容易に回動操作されてしまい、節水の目的を達することができなくなるからである。
【００１５】
この点に関し、図１１に示すクリック機構付シングルレバー水栓の場合、使用を繰り返すうちに係合突起２３０，係合溝２２８が次第に摩耗し、クリック感がこれに伴って弱くなるとともに、レバー操作に対する抵抗力が弱まってしまい、操作レバーを所定の節水位置で停止させることが難しくなってくるといった問題がある。
【００１６】
上記係合部材２３２，係合溝２２８を有する回転ガイド２２２は通常樹脂材で構成されるが、かかる樹脂材として硬質のものを用いた場合においても、上記の摩耗によってクリック位置における操作レバーに対する抵抗が減少してしまう。
特に図１１に示すクリック機構付シングルレバー水栓の場合、シングルレバーの機構そのものが倍力機構をなしているため、操作レバーに対して大きな抵抗を発生させるためには、クリック機構２２６において非常に大きなクリック時の抵抗を発生させる必要がある。
【００１７】
ところがそこで大きな抵抗を発生させるようにすればするほど、操作レバーの操作に基づいてクリック機構２２６でクリック感を発生させる際の摩耗の程度が大きくなってしまい、長期に亘って操作レバーに対する抵抗力を維持することが難しい。
即ち図１１に示すクリック機構付シングルレバー水栓において、クリック機構２２８の耐久性が不十分であるといった問題があった。
【００１８】
【特許文献１】特開２００１−７４１５２号公報
【特許文献２】特開２００４−１９７１４号公報
【発明の開示】
【発明が解決しようとする課題】
【００１９】
本発明は以上のような事情を背景とし、クリック機構の取付スペースを確保することが容易であって所要部品点数も少なく、構造が簡単で安価であり、しかも長期に亘って良好なクリック感を発生させることができるとともに、クリック位置において操作レバーに対する大きな抵抗力を維持することのできる、耐久性に優れたクリック機構付シングルレバー水栓を提供することを目的としてなされたものである。
【課題を解決するための手段】
【００２０】
而して請求項１のものは、（イ）上下回動操作に基づいて吐水の水量調節を行い、左右回動操作に基づいて吐水の温度調節を行う操作レバーと、（ロ）該操作レバーから水栓本体側に突出して該操作レバーと一体運動するレバー軸と、（ハ）前記水量調節方向に固定且つ温度調節方向に前記レバー軸と一体回転する、該レバー軸の回転ガイドと、(ニ)該回転ガイドに対して前記水量調節方向に直線運動する可動弁体の駆動部と、を備え、前記操作レバーの上下回動操作及び左右回動操作を前記レバー軸を介して該可動弁体に伝達し、該可動弁体を固定弁体に対し摺動運動させて水量調節及び温度調節を行うシングルレバー式水栓において、前記操作レバーの上下回動操作の際に所定位置でクリック感を発生するクリック機構を、前記回転ガイドと前記可動弁体の駆動部とにまたがって設け、且つ該クリック機構は、(a)前記回転ガイドの下面に突出状態に設けられた上側の金属線材と、(b)前記駆動部の上面に突出状態に設けられ、該駆動部の前記直線運動の途中で該上側の金属線材に対して長手方向の面で当接し、更に該上側の金属線材を乗り越えて移動する下側の金属線材と、(c)該下側の金属線材と上側の金属線材との少なくとも何れかを突出側に付勢する付勢手段と、(d)それら下側の金属線材と上側の金属線材との少なくともいずれかを回転可能に受けて支持する受面と、を備えて構成したことを特徴とする。
【００２１】
請求項２のものは、請求項１において、前記受面にて回転可能に支持される側の金属線材が断面円形且つ長手方向に直線状をなしているとともに、該受面は、該金属線材を全長に亘って嵌め入れ保持する保持凹所の底面にて構成されており、且つ該受面は、該金属線材の外周面の断面形状に対応した形状の断面円弧形状の嵌合面を成していて、該嵌合面で該金属線材を全長に亘り回転可能に受けて支持するものとなしてあることを特徴とする。
【００２２】
請求項３のものは、請求項２において、前記受面を備えた支持部材が前記駆動部材及び回転ガイドと別体の部材からなっており、該支持部材が前記付勢手段にて付勢されていることを特徴とする。
【００２３】
請求項４のものは、請求項２，３の何れかにおいて、前記保持凹所が前記駆動部材の上面に設けられており、且つ該保持凹所が潤滑剤溜りを成していることを特徴とする。
【００２４】
請求項５のものは、請求項２，３の何れかにおいて、前記駆動部材の上面には潤滑剤を保持して供給する、上面が開口形状の潤滑剤の補給用凹所が設けられており、且つ該補給用凹所は、前記駆動部材の前記直線運動の際に前記回転ガイドの側に設けた前記金属線材が到達する位置に設けてあることを特徴とする。
【発明の作用・効果】
【００２５】
以上のように本発明は、回転ガイドと駆動弁体の駆動部とにまたがってクリック機構を設け、且つそのクリック機構を、回転ガイドの下面に突出状態に設けた上側の金属線材と、駆動部の上面に突出状態に設けた、駆動部の直線運動の途中で上側の金属線材に対し長手方向の面で当接し、更にこれを乗り越えて移動する下側の金属線材と、それらの少なくとも何れかを突出側に付勢する付勢手段と、何れか一方の金属線材を回転可能に受けて支持する受面とを備えて構成したものである。
【００２６】
本発明では、クリック機構が回転ガイドと駆動部とにまたがって設けてあるため、かかるクリック機構をレバー軸と周辺部材との間にまたがって設けた場合と異なって、クリック機構を取り付けるための取付スペースを、従来有効利用されていないスペースを利用して容易に確保することができ、またクリック機構の構成部品点数が少なくし得て、簡単な構造で安価にクリック機構を構成することが可能となる。
【００２７】
またそのクリック機構は、操作レバーに対する水量調節操作に伴う駆動部の直線運動の途中で、下向きと上向きとに突出状態で設けた一対の金属線材を長手方向の面で当接させ、一方を他方に対して乗り越えて移動させるようになしていることから、大きなクリック感を発生させることができるとともに、それら金属線同士の当接に基づいて操作レバーに対し大きな抵抗力を発生させることができ、クリック感を発生させた位置で確実に操作レバーを一旦停止させることができる。
【００２８】
また本発明のクリック機構では一対の金属線材の何れかが回転可能に支持されていることから、一対の金属線材の一方が他方を乗り越えて移動する際に金属線材の回転を伴って移動することとなり、その際に一対の金属線材の摩耗を可及的に少なく抑制することができる。
【００２９】
一対の金属線材の何れをも回転不能な固定状態に設けておいた場合、一方が他方を乗り越えるときにそれら金属線材同士が強く擦り合い、そこで摩耗を生じてしまう。
【００３０】
しかるに本発明では一対の金属線材の何れかを回転運動させながら、一方が他方を乗り越えて移動するようになしてあるため、金属線材の摩耗を可及的に抑制し得て、その耐久性を大幅に高めることができる。
即ち本発明によれば、長期の使用の間にクリック機構の突出部分同士が次第に摩耗して、クリック感発生位置でのレバー操作に対する抵抗力が低下し、操作レバーをクリック位置で停止させる力が次第に弱くなってしまう問題を良好に解決することができる。
【００３１】
加えて本発明では、一対の金属線材の何れか一方が付勢手段にて突出側に付勢してあるため、金属線材の一方が他方を乗り越えて移動する際に、円滑にこれを行わせることができる。
【００３２】
次に請求項２は、上記受面にて回転可能に支持される側の金属線材を、断面円形且つ長手方向に直線状となすとともに、その受面を、全長に亘ってこれを嵌め入れ保持する保持凹所の底面にて構成するとともに、その受面を金属線材の外周面の断面形状に対応した断面円弧形状の嵌合面となして、その嵌合面で金属線材を全長に亘り回転可能に受けて支持するようになしたものである。
【００３３】
この請求項２によれば、クリック感を発生させる際に、直線状をなす金属線材に対し作用する荷重を、円弧形状をなす受面により金属線材全長に亘って広い接触面積で均等に受けることができる。
従ってかかる金属線材に対して部分的に大きな荷重が偏って作用し、その偏荷重に基づいて金属線材或いはこれを支持する受面の摩耗が促進されてしまうのを防止し得て、かかる摩耗に基づくレバー操作時の抵抗力の低下、即ち操作レバーを所定位置に一旦停止させるための力が低下するのを更に良好に防止することができる。
【００３４】
この場合においてその受面を備えた支持部材を駆動部材及び回転ガイドと別体の部材で構成して、これを付勢手段にて付勢しておくことができる（請求項３）。
【００３５】
また保持凹所を駆動部材の上面に設け、その保持凹所を潤滑剤溜りとなしおくことができる（請求項４）。
このようにしておけば、一対の金属線材が当り且つ一方が他方を乗り越えて移動する際の、金属線材と金属線材との接触による摩耗、或いは金属線材と受面との間に発生する摩擦による受面側の摩耗を効果的に抑制することができる。
即ち潤滑剤による潤滑作用によって金属線材の長期に亘る円滑な回転運動を確保することができ、回転が不十分となることによる摩耗を抑制して、クリック機構の耐久性を更に一層高めることが可能となる。
【００３６】
次に請求項５は、潤滑剤を保持して供給する、上面が開口形状の潤滑剤の補給用凹所を駆動部材の上面に設け、駆動部材の直線運動の際に回転ガイドの側に設けた金属線材をこの補給用凹所に到達させて、補給用凹所に貯えてある潤滑剤を回転ガイドの側の金属線材に補給するようになしたもので、この請求項５によれば、一対の金属線材が当り、且つ一方が他方を乗り越えて移動する際の摩耗を更に一層抑制することができ、クリック機構の耐久性を更に一層高めることが可能となる。
【発明を実施するための最良の形態】
【００３７】
次に本発明の実施形態を図面に基づいて詳しく説明する。
図１において１０はシングルレバー水栓で、カウンター１２に対し、互いに離隔した位置において水栓本体１４と吐水部１６とが取り付けられている。
【００３８】
吐水部１６は、吐水口１９を有する吐水ヘッド１８と、これを保持するホルダ管２０とを有しており、その吐水ヘッド１８が、これに接続された可撓性のホース２２とともにホルダ管２０から引出し可能とされている。
【００３９】
２４，２４は水栓本体１４に対し水，湯を供給するサプライ管で、これらサプライ管２４を通じて送られて来た水，湯が水栓本体１４内部で混合され、その混合水が水栓本体１４から下向きに突き出した流出管２６を通じて外部に流出する。
【００４０】
この流出管２６には上記ホース２２の端部が接続されており、流出管２６を通じて流出した混合水が、ホース２２を通じて上記吐水ヘッド１８へと送られる。
【００４１】
水栓本体１４の上部には操作レバー２８が上下回動及び左右回動可能に設けられている。
この例のシングルレバー水栓１０の場合、操作レバー２８を上下回動操作することで水量調節（吐止水を含む）が行われ、また左右回動操作することで吐水の温度調節が行われる。
【００４２】
尚この例のシングルレバー水栓１０の場合、操作レバー２８が回動下端に位置する状態が全閉状態であり、この位置から操作レバー２８を上向きに回動操作することで吐水が開始され、更にその上方への回動量を大きく又は小さくすることで吐水の水量が大流量に又は小流量に調節される。
【００４３】
図２に水栓本体１４の内部構造が具体的に示してある。
同図において３０はハウジング（ここでは樹脂製）で、下部が円筒部３２とされており、その円筒部３２がカウンター１２を貫通して下向きに突き出し、カウンター１２の裏側において締付ナット３４及び三角パッキン３６によりカウンター１２に固定されている。
上記サプライ管２４及び流出管２６は、この円筒部３２の内部に挿入されて、ハウジング３０内の底部３８に接続されている。
【００４４】
ハウジング３０の内部には、弁カートリッジ４０が収容されている。
弁カートリッジ４０は、カートリッジハウジングが底部４４と上部のキャップ５２とに分かれていて、それらが上下に結合されている。
【００４５】
これらにより形成される弁カートリッジハウジングの内側には、セラミックディスクから成る固定弁体４２と、その上面を摺動運動するセラミックディスクから成る可動弁体４６と、その駆動部４８、更に後述するレバー軸６４と一体に左右回転して操作レバー２８の左右回動運動を可動弁体４６に伝達するための、レバー軸６４の回転ガイド５０が組み付けられている。
【００４６】
これら要素からなる弁カートリッジ４０は、キャップ５２においてハウジング３０の一部を成す固定ナット５４により下向きに押し付けられている。ここで固定ナット５４はハウジング３０の本体に対しねじ込み固定されている。
尚５６は化粧カバーである。
【００４７】
操作レバー２８の基端にはスカート部５８が一体に形成されている。このスカート部５８の内側には、中心部においてボス部６０が一体に形成され、そのボス部６０に対し、レバー軸６４の上部が操作レバー２８と一体運動する状態でねじ６６により固定されている。
尚、図４に示しているようにレバー軸６４の下端部にはフォーク部６２が設けられており、そのフォーク部６２が、駆動部４８に形成された係合凹所６８に入り込んで係合し、それらフォーク部６２と係合凹所６８の係合に基づいて、駆動部４８がレバー軸６４の図２中軸７２周りの回動運動及び紙面と直角方向の回転運動と一体に運動する。
尚軸７２の端部は回転ガイド５０に結合されており、レバー軸６４は、回転ガイド５０に対し軸７２周りに相対回動する一方、紙面と直角方向に回転ガイド５０と一体に回転運動する。
【００４８】
この例のシングルレバー水栓１０の場合、操作レバー２８を上下回動操作すると、レバー軸６４が軸７２周りに回動運動し、これに伴って駆動部４８により可動弁体４６が固定弁体４２の上面を図２中左右方向に直線摺動運動し、水量調節を行う。
また操作レバー２８を図２中紙面と直角方向に左右回動操作すると、その回動運動が回転ガイド５０及び駆動部４８を介して可動弁体４６に伝えられ、これにより可動弁体４６が固定弁体４２上を紙面と直角方向に回転運動して吐水の温度調節を行う。
【００４９】
図３〜図５に示しているように、回転ガイド５０と駆動部４８とにまたがって、操作レバー２８の上下回動操作の際（即ち水量調節操作の際）に所定位置でクリック感を発生させるとともに、操作レバー２８をそこに一時停止させるためのクリック機構７４が設けてある。
図５及び図６にそのクリック機構の具体的構成が示してある。
【００５０】
図５に示しているように、回転ガイド５０の下面には案内凸部７６が下向きに突出する形態で設けられ、また一方駆動部４８の上面には、対応する形状の案内凹所７８が設けられており、そこに回転ガイド５０の案内凸部７６が図３中左右方向に移動可能に収容されている。
これら案内凸部７６と案内凹所７８とは、駆動部４８が図３中左右方向に直線運動する際のスライド案内する働きをなす。
【００５１】
図５に示しているように、回転ガイド５０の下面、具体的には案内凸部７６の下面には組付穴７９が設けられていて、そこに金属線材（上側の金属線材）８０が組み付けられている。
【００５２】
金属線材８０は、断面円形状且つ全体としてＵ字形状の回曲形状をなしていて、上向きに延びる一対の組付脚８２と、それらの下端を左右方向に連結する水平な当接作用部８４とを有している。
そしてこの当接作用部８４が図７に示しているように案内凸部７６の下面から下向きに突き出す状態で、一対の組付脚８２が組付穴７９に備えられた一対の圧入孔８６に圧入されることで、かかる金属線材８０が回転ガイド５０に組み付けられている。
【００５３】
一方駆動部４８の上面、具体的には上記案内凹所７８の底面には嵌込穴８８が設けられており、そこに直線状をなす断面円形の金属線材９０の支持部材９２が、一対の圧縮コイルスプリング（付勢手段）９４とともに嵌め込まれ保持されている。
ここで支持部材９２は、回転ガイド５０及び駆動部４８とは別体の部材（ここでは樹脂製）からなっている。
【００５４】
支持部材９２は、金属線材９０を保持する上部の保持部９６と、保持部９６から下向きに突出した一対の棒状の嵌装ガイド９８及び仕切り１００を有しており、図６及び図７（Ｂ）に示すようにそれら嵌装ガイド９８に対して一対の圧縮コイルスプリング９４の上部が嵌装されている。
尚、図７（Ｂ）に示しているように嵌込穴８８の底面にもまた仕切り１０２が起立状態で設けられている。
【００５５】
上記保持部９６の上面には、図６にも示すように金属線材９０の略下半分を受け入れた状態でこれを保持する保持凹所１０４が設けられている。ここで保持凹所１０４は上面が開口形状をなしている。
保持凹所１０４の底面は、図６の部分拡大図に示しているようにその形状が、金属線材９０の外周面の断面形状に対応した円弧形状、詳しくはここでは略半円形状をなしており、その底面が金属線材９０の外周面の略下半分に嵌合する嵌合面をなしていて、その嵌合面全体が金属線材９０を回転可能に支持する受面（支持面）１０６を成している。
【００５６】
ここで保持凹所１０４は、潤滑剤溜りとしての働きもなしており、そこに潤滑剤としてのグリースが金属線材９０とともに保持されている。
図５に示しているように、駆動部４８の上記案内凹所７８の底面にはまた、嵌込穴８８に隣接した位置に潤滑剤としてのグリースを保持し、駆動部４８の直線運動に伴ってその保持したグリースを補給する一対の補給用凹所１０８が設けられている。これら補給用凹所１０８もまた、上面が開口形状をなしている。
【００５７】
ここで補給用凹所１０８は、駆動部４８の直線運動の際に回転ガイド５０の側に設けた金属線材８０が到達する位置、詳しくは操作レバー２８を全開位置まで操作し、これに伴って駆動部４８が図３中左方向の前進端まで前進したときに金属線材８０が到達する位置に設けてある。
補給用凹所１０８に保持されたグリースは、主としてこのときに金属線材８０に対して潤滑用として補給される。
【００５８】
次に本実施形態の作用を、図８及び図９に基づいて説明する。
図８（Ｉ）は、操作レバー２８を全閉操作した状態を表しており、このとき駆動部４８は図６に示す状態、即ち図中最も右方向に後退した位置にあり、そして駆動部４８に設けた下側の金属線材９０は、図９（Ｉ）に示しているように回転ガイド５０に設けた上側の金属線材８０に対して図中右側に位置した状態にある。
【００５９】
尚このとき、上側の金属線材８０は当接作用部８４が回転ガイド５０における案内凸部７６の下面から下向きに突出した状態にあり、また駆動部４８に設けた金属線材９０も、コイルスプリング９４の付勢力に基づいて案内凹所７８の底面から上向きに突出し、回転ガイド５０における案内凸部７６の下面に上向きに当った状態にある。
【００６０】
この状態で図８（II）に示しているように操作レバー２８を上向きに回動操作し、止水状態から吐水状態にすると、これに伴って駆動部４８が図６に示す状態から図中左側に前進移動し、そしてあるところで図９（II）に示しているように、駆動部４８に設けた金属線材９０が、回転ガイド５０に設けた金属線材８０、詳しくはその当接作用部８４に当接する。
【００６１】
回転ガイド５０側の金属線材８０に当接した駆動部４８側の金属線材９０は、更なる駆動部４８の前進移動に伴って、図９（III）に示しているように回転ガイド５０側の金属線材８０を乗り越えて図中左向きに移動する。
このとき金属線材９０は、これを支持する支持部材９２をコイルスプリング９４を撓ませながら下向きに沈み込ませることによって金属線材８０を通過する。
またこのとき、金属線材９０は支持部材９２の保持凹所１０４内で半円形状の受面１０６にて嵌合状態に支持された状態で図中矢印で示す方向に回転運動し、その回転運動を伴って金属線材８０を図中左向きに乗り越えて通過する。
【００６２】
尚保持凹所１０４は潤滑剤としてのグリースを保持しており、金属線材９０の回転運動は、このグリースによる潤滑作用によって円滑に行われる。
そしてこの金属線材９０の回転運動によって、金属線材９０と金属線材８０との間にはほとんど擦れ運動は生じず、金属線材９０は転がり運動しながら円滑に金属線材８０を乗り越えて移動する。
【００６３】
また金属線材９０が金属線材８０に当接し、そして回転運動を伴ってこれを乗り越える際、金属線材９０に作用する荷重はその全長に亘って半円形状をなす受面１０６にて全体に亘り均等に荷重支持される。
従ってその際に金属線材９０に対し部分的に強い荷重が偏って作用し、これに基づいて金属線材同士の摩耗或いは支持部材９２の側の摩耗が部分的に促進されるといった不具合を生じない。
【００６４】
この実施形態のクリック機構付シングルレバー水栓では、上記のようにして駆動部４８側の金属線材９０が回転ガイド５０側の金属線材８０に当接し、そしてこれを乗り越える際にクリック感が発生し、それが操作レバー２８を介して使用者に伝達されるとともに、そのクリック時に金属線材同士の当りによって強い抵抗を発生させ、そこで操作レバー２８を一時的に停止させる。
即ち開操作中の操作レバー２８が、そのまま全開位置まで操作されてしまうのを効果的に防止することができる。
【００６５】
さてこのようにして回転ガイド５０側の上側の金属線材８０を乗り越えた駆動部４８側の下側の金属線材９０は、図８（III）に示しているように更なる操作レバー２８の開操作により、駆動部４８とともに引き続いて左向きに前進し、そして操作レバー２８の全開操作位置で、図９（IV）に示しているように金属線材８０から図中左向きに離れるとともに、駆動部４８側に設けた補給用凹所１０８が金属線材８０の位置に到る。
即ちこの時点で回転ガイド５０側に設けた金属線材８０が、駆動部４８側の補給用凹所１０８からグリースの補給を受ける。
【００６６】
即ちこの実施形態では、駆動部４８側の金属線材９０に対しても、また回転ガイド５０側の金属線材８０に対してもグリースが供給され、それら金属線材９０，８０がグリースによる潤滑作用下で互いに当接し且つ一方の金属線材９０が他方の金属線材８０を乗り越えて移動する。
尚、金属線材９０と８０とはその硬さが同一となしてある。
【００６７】
以上のような本実施形態において、クリック機構７４は、下向きと上向きとに突出状態で設けた一対の金属線材８０，９０を長手方向の面で当接させ、そして一方が他方を乗り越えて移動するようになすことで、そこで大きなクリック感を発生させることができるとともに、それら金属線材８０，９０同士の当接に基づいて、操作レバー２８に対し大きな抵抗力を発生させることができ、クリック感を発生させた位置で確実に操作レバー２８を一旦停止させることができる。
【００６８】
また本実施形態のクリック機構７４では、金属線材９０を回転させながら金属線材８０を乗り越えて移動させるようになしていることから、金属線材８０と金属線材９０との摩耗を可及的に少なく抑制でき、クリック機構７４の耐久性を高めることができる。
【００６９】
加えて本実施形態では、金属線材９０が金属線材８０の側に向けて圧縮コイルスプリング９４にて付勢してあるため、金属線材８０の金属線材９０に対する乗越え移動を無理なく円滑に行わせることができる。
【００７０】
以上本発明の実施形態を詳述したがこれはあくまで一例示である。
例えば上記実施形態では駆動部４８側の金属線材９０が直線状且つ回転可能となしてあって、その金属線材９０が支持部材９２によって回転可能に支持され、更にまた圧縮コイルスプリング９４によって付勢され、回転ガイド５０側の金属線材８０が固定状態となしてあるが、駆動部４８側で金属線材を固定状態として回転ガイド５０側で金属線材を回転可能に保持する構造となすことも可能である。また本発明は上記例示した水栓以外の他の様々なシングルレバー水栓に適用することが可能である等、本発明はその趣旨を逸脱しない範囲において種々変更を加えた形態で構成可能である。
【図面の簡単な説明】
【００７１】
【図１】本発明の一実施形態であるシングルレバー水栓を示す図である。
【図２】同実施形態の水栓本体の内部構造を示す図である。
【図３】図２の要部を更に拡大して示す図である。
【図４】図３の弁カートリッジを各部材に分解して示す図である。
【図５】同実施形態におけるクリック機構とその周辺部を分解して示す図である。
【図６】図５のクリック機構の要部を更に拡大して組付状態で示す図である。
【図７】図６のクリック機構における金属線材とその周辺部を示す図である。
【図８】同実施形態におけるクリック機構の作用説明図である。
【図９】図８のクリック機構における要部を拡大して示した作用説明図である。
【図１０】従来のクリック機構付シングルレバー水栓の要部を示す図である。
【図１１】図１０とは異なる従来のクリック機能付シングルレバー水栓の要部を示す図である。
【符号の説明】
【００７２】
１０  シングルレバー水栓
１４  水栓本体
２８  操作レバー
４２  固定弁体
４６  可動弁体
４８  駆動部材
５０  回転ガイド
６４  レバー軸
７４  クリック機構
８０，９０  金属線材
９２  支持部材
９４  圧縮コイルスプリング
１０４  保持凹所
１０６  受面
１０８  補給用凹所
【図１】
2008039160.tif 000003
【図２】
2008039160.tif 000004
【図３】
2008039160.tif 000005
【図４】
2008039160.tif 000006
【図５】
2008039160.tif 000007
【図６】
2008039160.tif 000008
【図７】
2008039160.tif 000009
【図８】
2008039160.tif 000010
【図９】
2008039160.tif 000011
【図１０】
2008039160.tif 000012
【図１１】
2008039160.tif 000013